(57)【要約】複数の表示パネル（２０２、２０４、２０６）を含む一つの多パネル映像表示装置において、各表示パネルを、一つの台座（２０１）に収容し、両表示パネル間におけるギャップ、即ちマリオン（２０８）を最小限にして、分離することのない合成表示を提供する。各表示パネルは、互いに角度をおいて配置され、これにより各表示パネルがユーザの視点と等距離になる。表示パネルは、前方へ傾斜して配置され、これにより、表示パネルの表示面を、地面に直交する平面に対して角度を有して位置させる。
2004500587.tif 000002
【特許請求の範囲】
【請求項１】
それぞれ表示エリアを含み、合成画像を表示するための複数の表示パネルと、前記複数の表示パネルを収容するためのハウジングとを備え、
前記複数の表示パネルは、前記ハウジング内に固定的に取り付けられ、かつ隣接する前記表示エリア間のマリオンの幅寸法を前記合成画像の幅寸法の約７％よりも小さくすべく制限して相互に隣接して取付けられ、更にユーザの視点から実質的に等距離にするために相互に角度を有して配される、ことを特徴とする多パネル映像表示装置。
【請求項２】
前記隣接する表示エリア間のマリオンの幅寸法が、前記合成画像の幅寸法の約１％から約３％の間であることを特徴とする請求項１記載の多パネル映像表示装置。
【請求項３】
前記隣接する表示パネル間のマリオンの幅寸法が、前記合成画像の幅寸法の約１％未満に設定されることを特徴とする請求項１記載の多パネル映像表示装置。
【請求項４】
前記複数の表示パネルは、左側表示パネル、中央表示パネル及び右側表示パネルの三枚の表示パネルから構成されることを特徴とする請求項１記載の多パネル映像表示装置。
【請求項５】
前記ハウジングは、前方へ傾斜して配置され、前記中央表示パネルの表示面と地面に直交する面との間の角度が、約２度から約５．５度の間に設定されることを特徴とする請求項４記載の多パネル映像表示装置。
【請求項６】
前記中央表示パネルは、前記ユーザの目のレベルを該中央表示パネルの下端から上端に向かって３／４の高さ位置にすべく、取付けられることを特徴とする請求項４記載の多パネル映像表示装置。
【請求項７】
前記各表示パネルは、ＬＣＤパネル、プラズマ表示パネル、デジタル表示パネルを構成するグループから選択されることを特徴とする請求項１記載の多パネル映像表示装置。
【請求項８】
更に、上端部及び下端部を有し、前記ハウジングを支持するため前記上端部が該ハウジングに連結されている支持部と、該支持部の下端部に連結される基部とを備えることを特徴とする請求項１記載の多パネル映像表示装置。
【請求項９】
前記支持部の前記上端部は、前記ハウジングに固定的に連結され、前記支持部の前記下端部は、前記基部に固定的に連結されることを特徴とする請求項８記載の多パネル映像表示装置。
【請求項１０】
前記支持部の前記上端部は、前記ハウジングにヒンジ結合され、前記ハウジングは前記支持部の軸に対して上下に傾斜して配置されることを特徴とする請求項８記載の多パネル映像表示装置。
【請求項１１】
前記支持部は、ヒンジ部材を含み、該ヒンジ部材により折り畳み可能であることを特徴とする請求項８記載の多パネル映像表示装置。
【請求項１２】
前記支持部は、地面に直交する軸の回りを回転可能にすべく前記基部に回転可能に連結されることを特徴とする請求項８記載の多パネル映像表示装置。
【請求項１３】
更に、外部装置と通信するためのＵＳＢポートを備えることを特徴とする請求項１記載の多パネル映像表示装置。
【請求項１４】
更に、ビデオ入力部を備え、該ビデオ入力部は、合成ビデオ入力部、ＲＧＢビデオ入力部、Ｓ−ｖｉｄｅｏ（Ｙ／Ｃ）入力部のいずれかより選択されることを特徴とする請求項１記載の多パネル映像表示装置。
【請求項１５】
複数の表示パネルを用いて高解像度の画像を表示する方法であって、
前記複数の表示パネルの隣接する両可視エリアのマリオンの幅寸法を前記高解像度画像の幅寸法の７％に近付けるべく制限して前記複数の表示パネルを一つのハウジング内に相互に接近させて配置し、
前記表示パネルがユーザの視点から実質的に等距離になるように該複数の表示パネルを相互に角度を有して配置する、
ことを特徴とする表示方法。
【請求項１６】
複数の表示パネルを用いて高解像度の画像を表示する請求項１５記載の表示方法であって、
前記複数の表示パネルを横断して一つの高解像度の合成画像を表示させるために、
前記複数の表示パネルのそれぞれに前記合成画像を割り当てて供給することを特徴とする表示方法。
【請求項１７】
複数の表示パネルを用いて高解像度の画像を表示する請求項１５記載の表示方法であって、
前記複数の表示パネルに一以上の独立画像を表示するために、少なくとも一つの前記表示パネルに一つの前記独立画像を供給することを特徴とする表示方法。
【請求項１８】
複数の表示パネルを用いて高解像度の画像を表示する請求項１５記載の表示方法であって、
一つの多数チャネルビジュアルコンピュータが、各前記表示パネルに一つの画像を供給することを特徴とする表示方法。
【請求項１９】
複数の表示パネルを用いて高解像度の画像を表示する請求項１５記載の表示方法であって、
少なくとも二つの独立した画像供給部から前記複数の表示パネルに画像を供給することを特徴とする表示方法。
【請求項２０】
複数の表示パネルを用いて高解像度の画像を表示する請求項１５記載の表示方法であって、
前記ユーザの目のレベルを前記中央の表示パネルの下端から上端までの３／４の位置にすべく、該中央のパネルを含む前記複数の表示パネルを取付けること、を特徴とする表示方法。
【請求項２１】
高解像度の画像を表示するための三パネル映像表示装置を組み立てる方法であって、
中央の表示パネルと左側及び右側の両側表示パネルとの間における各角度の範囲を計算し、
前記中央の表示パネルとユーザの視点との間の距離を約１８インチと約２４インチとの間に設定すると、前記中央の表示パネル、前記左右側の表示パネルが前記ユーザの視点から実質的に等距離となるように前記角度の範囲を選択し、
前記中央の表示パネルと前記左右の両側の表示パネルとの間の角度を前記角度の範囲内に保持して前記中央の表示パネルと前記両側の表示パネルとを一つのハウジング内に取付けることを特徴とする組立方法。
【請求項２２】
請求項２１記載の組立方法において、
前記中央の表示パネルの可視エリアと前記両側の表示パネルの各可視エリアとの間のマリオンの幅寸法を、前記高解像度の画像の幅寸法の７％に近付くように制限することを含み、前記中央の表示パネルと前記両側の表示パネルを取付けることを特徴とする組立方法。
【請求項２３】
請求項２１記載の組立方法において、
前記中央の表示パネルを地面に直交する平面に対し約２度と約５．５度との間の角度で前方へ傾斜させて配置するように支持部上に前記ハウジングを取付けることを特徴とする組立方法。
【請求項２４】
請求項２３記載の組立方法において、前記支持部の高さは、ユーザの目のレベルが、前記中央の表示パネルの下端から上端までの３／４の位置になるように選択されることを特徴とする組立方法。
【請求項２５】
請求項２３記載の組立方法において、前記支持部が折り畳み可能なヒンジ部材を備えることを特徴とする組立方法。
【発明の詳細な説明】
【０００１】
【従来の技術】
コンピュータのユーザは、常に、単一の画面による可視エリアを越えた映像或いは図形画像を見ることを望んでいる。例えば、大きいシステムの設計者は、設計を行うために常に設計工具（ＣＡＤ）を利用したコンピュータを使用する。多くの場合、これらの設計は、非常に詳細で又は非常に大きいので、充分に高い解像度の要求されている単一の画面上でも全てを表示することはできなかった。また、ユーザは、しばしばコンピュータの多数のウインドウを同時に表示させることがある。一つの画面の可視エリアは一般的に十分な大きさがないので、少しのコンピュータのウインドウに対しては同時に表示可能であるが、これより更に多い場合、典型的には、多数のウインドウは相互に遮りながら重ねて表示される。　例えば、パソコンユーザは、多数のコンピュータのウインドウがデスクトップのスクリーンに集中すると、失望することになる。また、専門的なコンピュータのユーザ、例えばグラフィック芸術家或いはＣＡＤ設計者は、大形画像に対して、その一部しか見ることができず、又は、多数のコンピュータのウインドウをスタック（読み出し制御）及びリスタックしなければならず、不満足或いは低生産性に耐えなければならない。
【０００２】
例えば、低品質の比較的大きいスクリーンや画素が多くて高い解像度を有する比較的大きな可視エリアは、映像或いは複数の図形画像の比較的大きな部分を同時に見たり並べることに対して、通常は有効である。従って、単一の画面の通常に利用されている可視エリアより大きな可視エリア上で映像或いは複数の図形画像を表示することが望まれている。配列表示システムは通常の単一のモニタの可視エリアより高さが大きく、かつ広い可視エリアを生成するために利用されている。この配列表示システムは、相互に隣接する三つ以上の映像表示部を含んでいる。
【０００３】
配列表示システムは、一般に、投影機を基本とする表示システムを含む。これらの表示システムは、重なり合う隣接方式で配列される三つ以上の映像投影機を備え、各投影機は、ビジュアルコンピュータ或いは他の映像ソースの一つのチャネルによってそれぞれに供給されるため重ね合わされる隣接フォーマット内で配列される。この結果、通常、複数のチャネルソースと複数の投影機の加算的なサイズ、明るさ及び解像度を組み合わせて成る合成映像を含んでいる。この投影機を基本としている表示システムでは、例えば、一つの連続的な画像を生成するために「平滑的な多重画像表示方法及び装置（Ａｄｊｕｓｔａｂｌｅ Ｍｕｌｔｉｐｌｅ Ｉｍａｇｅ Ｄｉｓｐｌｙ Ｓｍｏｏｔｈｉｎｇ Ｍｅｔｈｏｄ ａｎｄ Ａｐｐａｒａｔｕｓ）」（Ｕ．Ｓ．ｐａｔｅｎｔ Ｎｏ．５，１３６，３９０）に記載された処理を利用することができる。
【０００４】
投影機を基本としている表示システムを利用することで、単一のモニタ或いは表示装置より大きい可視エリア及び比較的高い解像度を提供することができる。しかしながら、投影機を基本としている表示システムは、値段が高く且つ膨大な技術的な支援及び定期的なメンテナンスが必要となるので、個人的な広範囲の利用に対しては、不適当である。更に、現在のシステムは、非常に大きいため、広い空間を占有してしまう。
配列表示システムとして、複数の一般的コンピュータの各モニタを並列的に配置することもできる。しかしながら、複数の最も標準的なブラウン管や他のモニタを完成品とするためには、両表示部間に、縦仕切（マリオン）が原因として許容し得るギャップより広いギャップを生じてしまう。このギャップは、図１Ａ、図１Ｂ及び図２に示されているように、それぞれ表示部の一体化を妨害してしまう。
【０００５】
図１Ａは、一列に並んで配置されている三つの通常の画面装置（モニタ）１００、１０２及び１０４を示している。図１Ｂは、図１Ａの配列している三つの画面装置１００、１０２及び１０４を示す上面図である。画面装置１００、１０２及び１０４は、それぞれ、可視エリア１０６、１０８及び１１０を有している。各可視エリアは、それぞれ、ハウジングに収容されるので、画面装置の前面より小さくなっている。相対的に広いギャップ或いはマリオン、例えば隣接する画面装置１０２及び１０４における可視エリア１０８と可視エリア１１０との間のギャップ１１２は、近傍の両可視エリア間に存在している。
【０００６】
図２は、画面装置１００、１０２及び１０４が一つの合成画像を表示するために用いられる場合に、両可視エリア間のマリオンによる分離結果を示している。この合成画像は、拡大した語「ＴＥＳＴ」として三つの画面装置を横断して表示されている。図に示されているように、一つ目の「Ｔ」が画面装置１００と１０２とに表示され、二つ目の「Ｔ」が画面装置１０２と１０４とに表示されている。これら相対的に大きなマリオンは、この語を一体的な画像として見せることができないため、視認者の注意を分散させていた。
従って、配列表示システムとして視認者への注意分散を低減するために、隣接する各表示装置における一つの合成画像の部分間の分離を低減できることが必要となっている。また、配列表示システムとして、小さい空間でよく、しかも技術的支援及びメンテナンスの要求の少ないことが望まれていた。更に、配列表示システムとして、大部分のユーザが入手可能であり、又使い心地の面を考慮して視認者に対して好適に設計されていることが望まれていた。
【０００７】
【本発明の概要】
以上のことから、本願発明の一つの具体例として、多パネル映像（ビデオ）表示システムは、複数の表示パネルと、これら表示パネルを収容する一つのハウジングとを含む。複数の表示パネルは、ハウジング内に固定的に取り付けられており、隣接する両表示パネル間におけるマリオンの幅寸法が最小限となるように、相互に隣接している。また、複数の表示パネルは、各表示パネルがユーザの視点からの距離が殆ど等しくなるように、相互に角度を有して設けられている。
【０００８】
本願発明の他の具体例は、複数の表示パネルを用いて、高解像度の画像を表示する方法である。複数の表示パネルは、一つのハウジング内に、相互に接近して取り付けられ、これにより複数の表示パネルの各隣接する可視エリア間におけるマリオンを小さくしている。そして、各表示パネルは、ユーザの視点からの距離が実質的に等しくなるように相互に角度を有している。
また、本願発明の更に他の具体例は、高解像度画像を表示するために、三パネル映像（ビデオ）表示システムを組み立てる方法である。中央パネルと左パネル及び右パネルとの間の設定角度は計算される。中央パネルとユーザの視点までの距離が約１８インチ〜２４インチの間にあるとき、中央パネル、左パネル及び右パネルがユーザの視点から実質的に距離が等しくなるように、設定角度が選択される。そして、中央パネルと左パネル及び右パネルは、それぞれの間における各角度が設定角度の範囲内に設定してハウジング内に取り付けられる。
【０００９】
【発明の実施の形態】
以下、本発明の実施の形態を具体例を用いて説明する。
図３Ａは、本発明に係る多パネル映像表示装置の一つの具体例を示し、本発明に係る多パネル映像表示装置２００は、台座（ハウジング或いは型（ｍｏｌｄｉｎｇ））２０１に一体的に組み込まれている三枚の表示パネル２０２、２０４及び２０６を含み、二つの隣接する画像間における間隔が合成画像の約３％分より少なくなるように、各表示パネルを相互に最も接近させて配置させる。他の実施例では、二つの隣接する画像間における間隔が合成画像の１％分、或いは、１％より更に小さくなっている。二つの隣接する画像間は、約７％が許容可能な間隔であり、これを越えると、通常、ユーザが画像を一つの合成画像として考慮することができなくなってしまうことが、各研究により指摘されている。
【００１０】
一つの実施例では、一つの台座を用いて、三枚の表示パネルを取り付けることにより強固なシステムを構築できる。各表示パネルを一つの台座に固定すると、例えば、表示部の再配列が不要となり、これにより投影機を基本とする配列表示装置を用いる場合と比較して、技術支援の必要性を低減することができる。他の各実施例として、表示パネルの数を三より多く或いは少なく設定することができる。
【００１１】
マリオン２０８は、隣接する表示パネル２０４及び２０６間に位置している。一つの実施例では、マリオン２０８の幅寸法は、合成画像の幅寸法の約３％より小さい。例えば、本実施例では、表示パネル２０４と表示パネル２０６とは、相互に隣接する端部が確実に接触されている。しかしながら、複数の表示パネルを製作するために利用される技術の現状態では、これらの左端部及び右端部の画素が能動的に作動しない。例えば、表示パネル２０４及び２０６がＬＣＤ（液晶表示）パネルからなる場合、左端部及び右端部に能動的に動作する画素が存在していない。このように、実施例では、たとえ一つのＬＣＤパネルのガラスを隣接したＬＣＤパネルのガラスと接触させても、両画像間における隙間を完全に無くすることはできない。他の実施例では、マリオン２０８は、現実に消えることが可能となっている。例えば、左端部及び右端部にある能動的な画素の有用性により、確実に隙間の無い合成画像を得ることができる。
【００１２】
多パネル映像表示装置２００は、前方へ、即ち、ユーザに向けて傾斜して配置することができる。これにより、表示パネル２０４の表示面から成る平面は、地面と直交する平面に対して一つの角度を有する。例えば、本発明の一つの実施例では、この角度が約５．５度となっている。また、他の実施例では、この角度が約３度となっている。更に、他の実施例では、この角度は３〜５．５度の間に設定されている。尚、この角度を３度未満或いは５．５度を越えて設定してもよい。
多パネル映像表示装置２００は、また後方へ、即ち、ユーザから離れるように傾斜して配置することができる。例えば、本発明の一つの実施例において、多パネル映像表示装置２００は、約３０度の角度で後方に傾斜されている。他の実施例の多パネル映像表示装置２００では、３０度未満或いは３０度を越えて配置してもよい。
【００１３】
多パネル映像表示装置は、制御ユニット（図示せず）に連結することができる。これにより、各表示パネルに入力と電源を供給することができ、又表示部を制御することもできる。この制御ユニットは、台座２０１或いは基部２１２に取り付けてもよく、更には支持部２１０に取り付けてもよい。また、この制御ユニットを台座、基部、支持部に取り付けずに独立した装置とすることができる。
【００１４】
一つの実施例では、多パネル映像表示装置は、集中制御ユニットを含み、この集中制御ユニットは、三つの表示パネルの全ての表示特性の制御に利用されている。他の実施例において、独立した制御ユニットは各表示パネルの表示制御に利用することができる。
多パネル映像表示装置２００は、表示配列及びメンテナンスのために制御ソフトを備えることができる。この制御ソフトは、制御ユニット或いは外部コンピュータのような全ての外部装置からの制御機能に対応するために命令を受けることができ、キーボード或いはマウスから成る入力装置により制御されている。
【００１５】
他の実施例では、多パネル映像表示装置は、外部コンピュータのような外部装置との通信のために、ＵＳＢ（ｕｎｉｖｅｒｓａｌ ｓｅｒｉａｌ ｂｕｓ）ポート、ＲＳ−２３２ポート、或いは、通用又は非通用のシリアルポートや制御ポートの如きポート（図示せず）を備えることができる。このポートは、制御機能を果たすために用いられる。ポート入力及び制御ソフトは、外部制御特性を許可し、スクリーン入力選択、自動入力測定、三スクリーン双方向カラー調節等に対し制限しない。全ての配列設定は、例えばマウスボタンをクリックすることにより、簡単に受け入れられ記憶される。
【００１６】
各表示パネルとしては、液晶表示（ＬＣＤ）パネル、或いは通常に利用されるプラズマ表示パネルのような表示パネルを用いることができる。また、この表示パネルとしては、デジタルビデオインタフェース（ＤＶＩ）パネルのようなデジタル表示パネルを用いることができる。台座２０１は、プラスチック、金属或いは他の全ての適宜な材料で形成することができる。一つの実施例では、台座２０１は、支持部２１０に固定的に結合されており、その結果、回転可能に基部２１２に固定的に結合されている。他の実施例では、台座２０１は、支持部２１０にヒンジ結合されており、この支持部２１０は、保持及び取り外し可能なヒンジを有する。
【００１７】
本実施例では、多パネル映像表示装置は、多種の入力の受信機能を有し、各表示パネルのためのメイン及び補助的なＲＧＢ信号、合成映像（ビデオ）信号或いはＳ−ｖｉｄｅｏ（Ｙ／Ｃ）信号の入力を制限しない。これらの入力は、メインの多チャネルビジュアルコンピュータ以外に他の各装置の使用も許可する。多パネル映像表示装置に入力を供給する他の装置は、ラップトップ、ＶＣＲ（ビデオカセットレコーダ）、ＤＶＤ（デジタルビデオディスク）、映像会議設備、ケーブルテレビ（放送）設定用トップボックス（ｔｏｐ ｂｏｘ）、閉回路テレビ及び各衛星供給装置を含んでいる。例えば、ユーザが、コンピュータを利用し、ＵＳＢポートを介して、入力供給装置を選択することができる。また、多パネル映像表示装置２００には、オーディオビジュアル通信のためにオーディオ（音声）入力部を設け、スピーカを連結させてもよい。
【００１８】
一つの実施例では、カメラ２１４は、多パネル映像表示装置２００の上面に配置されている。カメラ２１４は、多パネル映像表示装置２００上面の他の位置に配置されてもよい。平坦なチャネルを台座２０１の上面の有用な位置に設けると、カメラ２１４を台座２０１の上面の任意の位置に配置することができる。カメラ２１４として、例えば、ビデオ会議に利用されるビデオカメラを用いることができる。基部２１２は、ビデオ会議カメラのような各実用装置のための電力供給部（図示せず）を備えることができる。この電力供給部は、１２Ｖの電力を供給することができる。
【００１９】
図３Ｂは、多パネル映像表示装置２００の上面図である。多パネル映像表示装置２００は、台座２０１内に収容される三枚の表示パネル２０２、２０４及び２０６を備えている。表示パネル２０２と表示パネル２０４との間における角度２１６は、固定的であり、通常は、ユーザと多パネル映像表示装置との間の距離及び表示パネルのサイズに基づいて決定される。表示パネル２０４と表示パネル２０６との間における角度は、角度２１６と同様で、固定的である。他の実施例では、台座２０１は、三つの独立のハウジングに分けられ、そして、表示パネル２０２、２０４及び２０６は、相互にヒンジ結合され、これにより、隣接する両表示パネル間における角度は、変化可能となっている。
【００２０】
図４は、「ＴＥＳＴ」の合成画像を表示する本発明に係る多パネル映像表示装置２００の実施例を示している。隣接する両表示パネル間におけるギャップは減少し、マリオン２０８は、合成画像の約３％より小さくなっている。他の実施例では、マリオン２０８は、合成画像の約１％又はそれ以下となっている。一つ目の「Ｔ」の一部が表示パネル２０２上に現れているが、他の一部は表示パネル２０４上に現れている。両表示パネルの両可視エリア間における間隔が合成画像の約３％以下となっているため、一つ目の「Ｔ」の両部分間の間隔は、比較的非分離状態となっている。二つ目の「Ｔ」の、表示パネル２０４及び表示パネル２０６の各可視エリアそれぞれに示される両部分に対しても同様である。
【００２１】
図５は、合成画像の表示寸法が表示されている多パネル映像表示装置２００を示す。各表示パネル２０２、２０４及び２０６は、水平方向５００の画素カウント値が１２８０であり、垂直方向５０２の画素カウント値が１０２４である。このように、本実施例では、各表示パネル２０２、２０４及び２０６は、１２８０×１０２４（１．３ミリオン）画素による表示が可能である。従って、三枚の表示パネルを水平方向（５０４）に横切る画素の総数は３８４０となるので、多パネル映像表示装置２００は、３８４０×１０２４（３．９ミリオン）画素による表示が可能である。
【００２２】
本発明の実施例では、基部２１２を支持する支持面から表示パネルの下端までの高さ寸法５０６は、固定的である。従って、支持面の高さ寸法を調整すれば、表示パネルの高さ寸法５０６も調整することができる。他の実施例では、この高さ寸法５０６を変更可能とするので、例えば、ユーザの目の高さレベルに基づいて、表示パネルの高さ寸法を調整することができる。このユーザの目の高さは、ユーザが画像を見るときの目の高さである。
【００２３】
図６Ａは、多パネル映像表示装置２００とユーザ６０３との間の空間関係を示している。ライン６２０は、ユーザ６０３の目の位置を示している。ライン６３０は、中央表示パネルの表示面の位置を示している。隣接する両表示パネル間における角度２１６は、ユーザ６０３の視点と多パネル映像表示装置２００間における設計距離に合わせて選択されている。視点は、ユーザの目の位置によって決定される。多パネル映像表示装置２００の台座２０１は、ユーザ６０３の視点が各表示パネル２０２、２０４及び２０６からのそれぞれの距離が実質的に等しくなるように設計されている。即ち、ユーザ６０３の視点と各表示パネル２０２、２０４及び２０６との間のそれぞれの距離６０３ａ、６０３ｂ及び６０３ｃは相互にほぼ等しくなっている。
これら距離６０３ａ、６０３ｂ、６０３ｃと表示パネル間における角度は、人間工学を考慮することに基づいて実質的に選定されている。例えば、本発明の実施例では、各距離６０３ａ、６０３ｂ、６０３ｃが約１８インチ〜２４インチの間に設定され、各表示パネル２０２、２０４及び２０６が１８．１インチの表示パネルからなる場合、角度２１６は、約１４０度に設定されている。この角度及びこれらの距離は、他の実施例では異なる場合がある。
【００２４】
図６Ｂは、多パネル映像表示装置６００とユーザ６０３との間の空間関係を示している。隣接する表示パネル間における角度６１６は、ユーザ６０３の視点と多パネル映像表示装置６００との間における設計距離に一致させて設定されている。多パネル映像表示装置６００の台座６０１は、ユーザ６０３の視点が各表示パネル６０２、６０４及び６０６からのそれぞれの距離が実質的に等しくなるように設計されている。即ち、ユーザ６０３の視点と各表示パネル６０２、６０４及び６０６とのそれぞれの距離６１４ａ、６１４ｂ及び６１４ｃは相互にほぼ等しく設定されている。
【００２５】
図６Ｂにおいて、表示パネル６０２、６０４及び６０６は、図６Ａにおける表示パネル２０２、２０４及び２０６より小さくなっている。例えば、表示パネル２０２、２０４及び２０６が１８．１インチのサイズであるが、表示パネル６０２、６０４及び６０６は１５．０インチのサイズである。図６Ａと図６Ｂとを比較すると、表示パネルのサイズと隣接する表示パネル間の角度との間に相関関係のあることが分かる。この関係は、多パネル映像表示装置の表示パネルのサイズが隣接する表示パネル間の角度に反比例していることである。例えば、各距離６０３ａ、６０３ｂ、６０３ｃと各距離６１４ａ、６１４ｂ、６１４ｃとがそれぞれ等しい場合、隣接する表示パネル間の角度２１６は、約１４０度であり、一方、隣接する表示パネル間の角度６１６は、約１５５度となっている。
【００２６】
図７は、本発明に係る多パネル映像表示装置２００の他の実施例である。この多パネル映像表示装置２００は、台座２０１に収容されている表示パネル２０２、２０４及び２０６を備えている。台座２０１は、その背面に設けられたヒンジ（図示せず）によって支持部７００にヒンジ結合されている。このヒンジは、台座２０１を支持部７００の軸に対して上下に傾斜させることを可能としている。
支持部７００は、ヒンジ７０２を有する。このヒンジ７０２は、支持部７００を折り畳み可能に連結している。このような折り畳み可能なヒンジ７０２を利用することにより、多パネル映像表示装置２００を縦方向に沿って調整することができる。一方、多パネル映像表示装置２００は、支持部７００の下部に結合されている基部７０４に対して上下に移動することができる。一つの実施例では、支持部７００は、基部７０４に回転可能に結合されているので、地面に直交する軸に沿って回転することができる。
【００２７】
図８は、本発明の一実施例における多パネル映像表示装置２００とこれに映像及び図形を供給する各装置との間のインタフェースを示している。多パネル映像表示装置２００は、三枚の表示パネル２０２、２０４及び２０６を備えている。グラフィックを利用する多数チャネルビジュアルコンピュータ８００は、三つのグラフィックインタフェースカード８０２、８０４及び８０６を備えている。グラフィックインタフェースカード８０２、８０４及び８０６は、それぞれ、表示パネル２０２、２０４及び２０６に対応させて、画像８１６、８１８及び８２０を供給する。多数チャネルビジュアルコンピュータには、一つ或いは複数のＵｎｉｘ、Ｍａｃ−ＯＳ、Ｗｉｎｄｏｗｓ／ＮＴ及びＬｉｎｕｘオペレーティングシステム或いは他の通用又は非通用オペレーティングシステムを用いることができる。
【００２８】
多数チャネルビジュアルコンピュータ８００は、各表示パネル２０２、２０４及び２０６への入力に対応させて、画像８１６、８１８及び８２０を表示するための各グラフィック及び／或いはビデオ信号を供給することができる。各表示パネル２０２、２０４及び２０６への入力は、メイン及び補助的なＲＧＢ入力、合成ビデオ入力及びＳ−ｖｉｄｅｏ（Ｙ／Ｃ）の入力であり、これら信号に限定されない。他の実施例では、多数チャネルビジュアルコンピュータ８００に代えて、二つ或いは三つの独立のコンピュータを用いて、多パネル映像表示装置２００に各グラフィック及び、或いはビデオ信号を供給することができる。画像８１６、８１８及び８２０は、三つの無関係の画像、或いは、一つの合成画像の一部から成る各画像であってもよい。また、各図形画像８１６、８１８及び８２０は、相互に実質的に同一な画像を用いることができる。
ラップトップ８１０或いは他のコンピュータ或いは画像を供給可能な電子装置により、追加画像を供給することができる。ラップトップ８１０は、多パネル映像表示装置２００に画像８２６を供給し、この画像８２６は、例えば、車の図を含んでいる。
【００２９】
本実施例の多パネル映像表示装置２００は、表示パネル毎に一つである三つの画像を表示するために用いられるが、ラップトップ８１０が、四つ目となる画像８２６を供給して、多数チャネルビジュアルコンピュータ８００からの画像８１６、８１８及び８２０に追加するとき、スイッチ８１４は、多数チャネルビジュアルコンピュータ８００からの画像の一つと画像８２６とを切り換えるために用いられている。例えば、画像８２０及び８２６がスイッチ８１４により合成される。スイッチ８１４は、画像８２０及び８２６を多重送信して、多パネル映像表示装置２００の表示パネル２０６へ画像８２６を供給する。この画像８２８は、スイッチを用いて選択されることにより、画像８２０となり、或いは画像８２６となる。このスイッチ８１４は、例えばユーザによって操作される機構スイッチであり、これにより、手動で制御することができる。また、スイッチ８１４は、例えば制御ユニット（図示せず）内でソフトを実行することにより、自動的に制御するものでもよい。
【００３０】
一つの実施例では、ビデオカセットレコーダ（ＶＣＲ）８０８は、スイッチ８１２にグラフィック画像８２２を供給する。多数チャネルビジュアルコンピュータ８００からの画像８１６は、同様にスイッチ８１２で合成される。スイッチ８１２は、スイッチ８１４と同様な動作で入力画像を選択して、多パネル映像表示装置２００の表示パネル２０２へ画像８２４を供給する。同様に、他の実施例では、画像８１８は、一つのスイッチで合成される。
【００３１】
図９Ａは、本発明に係る多パネル映像表示装置２００の一つの実施例を示す正面図である。多パネル映像表示装置２００は、三枚の表示パネル２０２、２０４及び２０６を横切る一つの合成画像を表示する。実施例では、三つの画像から成る合成画像が、図８に示される多数チャネルビジュアルコンピュータ８００により供給される。例えば、この三つの画像は、それぞれ、三つのグラフィックインタフェースカード８０２、８０４及び８０６により供給してもよい。他の実施例では、三つの画像は、各異なるコンピュータにより供給されている。
【００３２】
図９Ｂは、本発明に係る多パネル映像表示装置２００の一つの実施例を示す正面図である。表示パネル２０４は、図９Ａに示す表示パネル２０４と同様に合成画像の一部を表示する。この合成画像の一部は、図８に示されるグラフィックインタフェースカード８０４により供給される。しかしながら、表示パネル２０２は、合成画像から独立している画像を表示している。例えば、表示パネル２０２上のこの画像は、人がテニスを行っている画像である。表示パネル２０２の画像は、例えば、図８に示すスイッチ８１２を介してＶＣＲ８０８により供給される。
また、表示パネル２０６は、合成画像から独立している画像を表示している。例えば、表示パネル２０２の画像は、車の画像である。表示パネル２０６上のこの画像は、図８に示すスイッチ８１４を介してラップトップ８１０により供給される。他の実施例では、表示パネル２０４は、合成画像の一部ではない一つの画像を表示することができる。
【００３３】
図１０は、多パネル映像表示装置の表示面とユーザ（視認者）９００との間の空間関係を示している。図１０には、三枚の１８．１インチの表示パネルを有する一つの多パネル映像表示装置と、三枚の１５．０インチの表示パネルを有する一つの多パネル映像表示装置とが示されており、これら装置はユーザ９００の視点から約１８インチと約２４インチそれぞれ離間している。ユーザ９００と多パネル映像表示装置との空間関係は、人間工学原理に基づいてユーザに満足を与えるように設計されている。この人間光学的考慮は、「Ｅｒｇｏｎｏｍｉｃ Ｄｅｓｉｇｎ ｆｏｒ Ｐｅｏｐｌｅ ａｔ Ｗｏｒｋ Ｖｏｌｕｍｅ Ｉ，Ｅａｓｔｍａｎ Ｋｏｄａｋ Ｃｏｍｐａｎｙ，Ｗｉｌｅｙ ＆ Ｓｏｎｓ，Ｉｎｃ．，１９８３（ＩＳＢＮ ０４７１−２８９２４−８）ａｎｄ Ｔｈｅ Ｍｅａｓｕｒｅ ｏｆ Ｍａｎ ａｎｄ Ｗｏｍａｎ：Ｈｕｍａｎ Ｆａｃｔｏｒｓ ｉｎ Ｄｅｓｉｇｎ，Ｈｅｎｒｙ Ｄｒｅｙｆｕｓｓ Ａｓｓｏｃｉａｔｅｓ，Ｗｈｉｔｎｅｙ Ｌｉｂｒａｒｙ ｏｆ Ｄｅｓｉｇｎ （Ｎｅｗ Ｙｏｒｋ），１９９３（ＩＳＢＮ ０−８２３０−３０３１−８）」に開示されていることを基礎としており、これら引用文献には充分に具体的に示されている。
【００３４】
上記した実施例では、ライン９０２は、ユーザ９００の視点を通っている。半円９０４及び９０６は、それぞれ、ユーザ９００の視点より約２４インチ及び約１８インチ離れている。人間工学原理によれば、表示面をユーザ９００の視点から１８インチ〜２４インチの間に位置させると、ユーザ９００に視覚的な満足を与えることができる。
ライン９０８ａ及び９０８ｂは、それぞれ、ライン９１２により示される表示面を有する１８．１インチの中央表示パネルの左端及び右端を示している。ライン９１２は、半円９０４の接線であり、１８．１インチの中央表示パネルの表示面のほぼ中心で接している。ライン９１４ａ及び９１４ｂは、１８．１インチの両側の表示パネル表示面を示し、それぞれ、傾斜ライン９０８ａ及び９０８ｂ位置で中央表示パネルと結合している。また、ライン９１４ａ及び９１４ｂは、それぞれ、１８．１インチの両側の表示パネルの表示面のほぼ中心で半円９０４に接している。
【００３５】
上記した実施例では、１８．１インチの中央表示パネルと各１８．１インチの両側表示パネルの表示面は、ユーザ９００の視点からほぼ等距離となっている。しかしながら、実際には、視点から両側の表示パネル表示面までの距離は、中央表示パネルと視点間までの距離より、少し大きく或いは小さくなっている。例えば、矢印９１５ａ及び９１５ｂは、左側の１８．１インチの表示パネルの許容誤差±１インチを示している。即ち、左側の１８．１インチの表示パネルの表示面は、ライン９１６ａで示され、このライン９１６ａは、ライン９１４ａよりユーザ９００の視点に１インチ近付いており、ライン９１６ｂは、ライン９１４ａよりユーザ９００の視点から１インチ離れている。
上記した実施例では、ライン９１２は、また、ライン９１０ａ及び９１０ｂによってそれぞれ表示された左端及び右端を有する１５．０インチの中央表示パネルの表示面を示している。このライン９１２は、半円９０４（２４ラジアンの半径）の接線であり、１５．０インチの中央表示パネルの表示面のほぼ中心で接している。ライン９１８ａ及び９１８ｂは、それぞれ、ライン９１０ａ及び９１０ｂ位置で１５．０インチの中央表示パネルと結合している各１５．０インチの両側の表示パネルの表示面を示している。ライン９１８ａ及び９１８ｂは、それぞれ、各１５．０インチの両側表示パネルの表示面のほぼ中心で半円９０４に接している。
【００３６】
更に、図１０を参照して、１５．０インチの中央表示パネルと両側表示パネル間における角度は、１８．１インチの中央表示パネルと両側表示パネル間における角度より大きくなっている。例えば、ライン９１２（１５．０インチの中央表示パネルの表示面を示す）とライン９１８ａ（１５．０インチの左側表示パネルの表示面を示す）との間の角度は、ライン９１２（１８．１インチの中央表示パネルの表示面を示す）とライン９１４ａ（１８．１インチの左側表示パネルの表示面を示す）との間の角度より大きくなっている。例えば、一つの実施例では、ライン９１２とライン９１８ａとの間の角度は、１５５度であり、ライン９１２とライン９１４ａとの間の角度は１４０度である。
【００３７】
図１０は、また、ユーザ９００の視点から約１８インチ離れ、三枚の１８．１インチ表示パネルと三枚の１５．０インチ表示パネルをそれぞれ有する各多パネル映像表示装置を示している。上記実施例では、ライン９２０は、１８．１インチの中央表示パネルと１５．０インチの中央表示パネルの各表示面を共に示している。１８．１インチの中央表示パネルは、ライン９０８ａ及び９０８ｂによってそれぞれ示されている左端及び右端を有する。１５．０インチの中央表示パネルは、ライン９１０ａ及び９１０ｂによってそれぞれ示されている左端及び右端を有する。ライン９２０は、１８．１インチの中央表示パネルと１５．０インチの中央表示パネルの各表示面のほぼ中心で半円９０６に接している。
【００３８】
ライン９２２ａ及び９２２ｂは、それぞれ、左右の１８．１インチの表示パネルの表示面を示している。これらの１８．１インチの両側の表示パネルは、１８．１インチの中央表示パネルとライン９０８ａ、９０８ｂ位置で連結されている。ライン９２２ａ及び９２２ｂは、それぞれ、１８．１インチの左側表示パネル及び右側表示パネルのほぼ中心位置で半円９０６に接している。
ライン９２４ａ及び９２４ｂは、それぞれ、左右の１５．０インチの表示パネルの表示面を示している。１５．０インチの両側の表示パネルは、１５．０インチの中央表示パネルとライン９１０ａ及び９１０ｂ位置で結合している。ライン９２４ａ及び９２４ｂは、それぞれ、１５．０インチの左側表示パネルと右側表示パネルのほぼ中心位置で半円９０６に接している。
【００３９】
図１１は、本発明に係る多パネル映像表示装置の一つの実施例を設計するときに用いる人間工学原理の一つの例を示している。ユーザ９５０は、ライン９５６によって示されている視線（視覚線）を有する。ライン９５２は、ユーザ９５０の頭と脊柱との間の直線を示し、頭が脊柱に対して前後へ傾斜しない状態を示す。ライン９５４は、ユーザの視点の水平方向位置を示している。円弧９５３ａ及び９５３ｂは、それぞれ、ユーザ９５０の頭が脊柱に対して＋３度及び−３度傾斜した状態となるときの頭と脊柱との各連係を示す。ユーザの満足のためには、ユーザ（視認者）は、表示装置を視認する際、頭を前後へ３度以上傾斜させることを好まない。
【００４０】
ライン９５８は、ライン９５６に対して角度９７０が３０度を形成している。目の下向きの視認範囲は、頭を傾斜しなければ、３０度である。多パネル映像表示装置の高さは、ライン９５６（ユーザの視線（目の高さ）を示す）が中央表示パネルの下端９６２と上端９６０との間における距離の３／４の位置に位置するように設定される。この３／４の距離は、双方向を示す矢印９７２によって示されている。ライン９６６及び９６４は、それぞれ中央表示パネルの表示面を含む平面で、ライン９６２（表示パネルの下端）及びライン９６０（表示パネルの上端）と交わる。
テーブル１は、本発明の一つの実施例に記載された人間工学原理によってユーザに満足感を提供するために、中央表示パネルと両側の表示パネルとの間における角度の好ましい範囲のリストを示す。他の実施例では、ユーザの視点から中央表示パネルまでの距離が１８インチ未満、或いは、２４インチ以上となる場合、中央表示パネルと両側表示パネル間における角度について、新たな範囲を導き出すことができる。例えば、５２インチのような比較的大きいサイズのパネルに対して、中央表示パネルまでの距離を２４インチを越えるように調整し、この距離の増加に伴って角度の範囲が調整される。
【００４１】
【表１】
2004500587.tif 000003
【００４２】
テーブルを参照し、視線から表示パネルの下端までの距離は、ユーザに満足度を与えるため、表示パネルの高さの３／４となっている。ユーザの視点と中央表示パネルまでの距離は、１８インチから２４インチ間になっている。中央表示パネルと両側の表示パネルとの間における角度は、角度の範囲から選択される。例えば、１２．１インチの表示パネルを用いる多パネル映像表示装置に対しては、ユーザの視点からの距離が１８インチに設定されると、角度の範囲は、１３６〜１６２度となる。この角度の範囲は、人間工学原理の範囲外になっても許される。例えば、両側の表示パネルが中央表示パネルよりユーザの視点に対し１インチ近く或いは離間させることができる。また、テーブル１を参照すると、中央表示パネルと一側の表示パネルとの間における角度は表示パネルのサイズに反比例している。
【００４３】
上記のように、本発明は、高い解像度の合成画像を表示する多パネル映像表示装置を提供できる。また、本発明によれば、正確に実施例によって説明されているが、その他の各種の適用及び応用が可能である。従って、本発明は、上記実施例の記載に限定されないことが理解される。
よって、本発明の特許請求の範囲は、請求項及び実質的に同一な範囲で決定されるべきである。
【図面の簡単な説明】
【図１Ａ】
図１Ａは、三つの通常の画面装置が隣接して配置される従来技術を示す図である。
【図１Ｂ】
図１Ｂは、図１Ａにおける三つの画面装置を示す上面図である。
【図２】
図２は、隣接して配列される三つの通常の画面装置上で一つの合成画像を表示する従来技術を示す図である。
【図３Ａ】
図３Ａは、本発明に係る一つの台座に互いに角度を有して取り付けられる三つの表示パネルを有する多パネル映像（ビデオ）表示装置の具体例を示す図である。
【図３Ｂ】
図３Ｂは、図３Ａにおける多パネル映像（ビデオ）表示装置の上面図である。
【図４】
図４は、本発明の具体例に係る一つの合成画像を表示する多パネル映像（ビデオ）表示装置を示す図である。
【図５】
図５は、本発明の具体例に係る多パネル映像（ビデオ）表示装置を示す正面図である。
【図６】
図６Ａは、三つの表示パネルが一つの台座にユーザから本質的に等距離に取り付けられる本発明に係る多パネル映像（ビデオ）表示装置の上面図である。図６Ｂは、パネル間の角度が狭くなる場合を除いた、図６Ａと同様な多パネル映像（ビデオ）表示装置の上面図である。
【図７】
図７は、折り畳み可能な支持部に取り付けられている本発明に係る多パネル映像（ビデオ）表示装置の他の具体例を示す正面図である。
【図８】
図８は、ビジュアルコンピュータ、ラップトップ及びビデオカセットレコーダ（ＶＣＲ）の複数のチャネルからの画像を表示する三つの表示装置の操作を示すブロック図である。
【図９Ａ】
図９Ａは、合成画像が三つのパネルを通して表示されている本発明に係る多パネル映像（ビデオ）表示装置の正面図である。
【図９Ｂ】
図９Ｂは、各表示パネル上で分離画像が表示されている本発明に係る多パネル映像（ビデオ）表示装置の正面図である。
【図１０】
図１０は、二つの距離（１８インチと２４インチ）で配される１８．１インチの表示パネル及び１５．０インチの表示パネルを有する本発明の多パネル映像（ビデオ）表示装置の表面とユーザとの間における空間関係を示す図である。
【図１１】
図１１は、本発明に係る多パネル映像（ビデオ）表示装置の一つの具体例の設計に用いる人間工学原理の例を示す図である。
【図１Ａ】
2004500587.tif 000004
【図１Ｂ】
2004500587.tif 000005
【図２】
2004500587.tif 000006
【図３Ａ】
2004500587.tif 000007
【図３Ｂ】
2004500587.tif 000008
【図４】
2004500587.tif 000009
【図５】
2004500587.tif 000010
【図６】
2004500587.tif 000011
【図７】
2004500587.tif 000012
【図８】
2004500587.tif 000013
【図９Ａ】
2004500587.tif 000014
【図９Ｂ】
2004500587.tif 000015
【図１０】
2004500587.tif 000016
【図１１】
2004500587.tif 000017
【国際公開パンフレット】
2004500587.tif 000018
2004500587.tif 000019
2004500587.tif 000020
2004500587.tif 000021
2004500587.tif 000022
2004500587.tif 000023
2004500587.tif 000024
2004500587.tif 000025
2004500587.tif 000026
2004500587.tif 000027
2004500587.tif 000028
2004500587.tif 000029
2004500587.tif 000030
2004500587.tif 000031
2004500587.tif 000032
2004500587.tif 000033
2004500587.tif 000034
2004500587.tif 000035
2004500587.tif 000036
2004500587.tif 000037
2004500587.tif 000038
2004500587.tif 000039
2004500587.tif 000040
2004500587.tif 000041
2004500587.tif 000042
2004500587.tif 000043
2004500587.tif 000044
2004500587.tif 000045
【手続補正書】
【提出日】平成13年8月27日(2001.8.27)
【手続補正１】
【補正対象書類名】明細書
【補正対象項目名】特許請求の範囲
【補正方法】変更
【補正の内容】
【特許請求の範囲】
【請求項１】
それぞれ表示エリアを含み、合成画像を表示するための複数の表示パネルと、前記複数の表示パネルを収容するためのハウジングとを備え、前記複数の表示パネルは、前記ハウジング内に固定的に取り付けられ、かつ隣接する前記表示エリア間のマリオンの幅寸法を前記合成画像の幅寸法の約７％よりも小さくすべく制限して相互に隣接して取付けられ、更にユーザの視点から実質的に等距離にするために相互に角度を有して配される、ことを特徴とする多パネル映像表示装置。
【請求項２】
前記隣接する表示エリア間のマリオンの幅寸法が、前記合成画像の幅寸法の約１％から約３％の間であることを特徴とする請求項１記載の多パネル映像表示装置。
【請求項３】
前記隣接する表示パネル間のマリオンの幅寸法が、前記合成画像の幅寸法の約１％未満に設定されることを特徴とする請求項１記載の多パネル映像表示装置。
【請求項４】
前記複数の表示パネルは、左側表示パネル、中央表示パネル及び右側表示パネルの三枚の表示パネルから構成されることを特徴とする請求項１記載の多パネル映像表示装置。
【請求項５】
前記ハウジングは、前方へ傾斜して配置され、前記中央表示パネルの表示面と地面に直交する面との間の角度が、約２度から約５．５度の間に設定されることを特徴とする請求項４記載の多パネル映像表示装置。
【請求項６】
前記中央表示パネルは、前記ユーザの目のレベルを該中央表示パネルの下端から上端に向かって３／４の高さ位置にすべく、取付けられることを特徴とする請求項４記載の多パネル映像表示装置。
【請求項７】
前記各表示パネルは、ＬＣＤパネル、プラズマ表示パネル、デジタル表示パネルを構成するグループから選択されることを特徴とする請求項１記載の多パネル映像表示装置。
【請求項８】
更に、上端部及び下端部を有し、前記ハウジングを支持するため前記上端部が該ハウジングに連結されている支持部と、該支持部の下端部に連結される基部とを備えることを特徴とする請求項１記載の多パネル映像表示装置。
【請求項９】
前記支持部の前記上端部は、前記ハウジングに固定的に連結され、前記支持部の前記下端部は、前記基部に固定的に連結されることを特徴とする請求項８記載の多パネル映像表示装置。
【請求項１０】
前記支持部の前記上端部は、前記ハウジングにヒンジ結合され、前記ハウジングは前記支持部の軸に対して上下に傾斜して配置されることを特徴とする請求項８記載の多パネル映像表示装置。
【請求項１１】
前記支持部は、ヒンジ部材を含み、該ヒンジ部材により折り畳み可能であることを特徴とする請求項８記載の多パネル映像表示装置。
【請求項１２】
前記支持部は、地面に直交する軸の回りを回転可能にすべく前記基部に回転可能に連結されることを特徴とする請求項８記載の多パネル映像表示装置。
【請求項１３】
更に、外部装置と通信するための通信／制御ポートを備えることを特徴とする請求項１記載の多パネル映像表示装置。
【請求項１４】
更に、ビデオ入力部を備え、該ビデオ入力部は、合成ビデオ入力部、ＲＧＢビデオ入力部、Ｓ−ｖｉｄｅｏ（Ｙ／Ｃ）入力部のいずれかより選択されることを特徴とする請求項１記載の多パネル映像表示装置。
【請求項１５】
複数の表示パネルを用いて高解像度の画像を表示する方法であって、前記複数の表示パネルの隣接する両可視エリアのマリオンの幅寸法を前記高解像度画像の幅寸法の７％に近付けるべく制限して前記複数の表示パネルを一つのハウジング内に相互に接近させて配置し、前記表示パネルがユーザの視点から実質的に等距離になるように該複数の表示パネルを相互に角度を有して配置する、ことを特徴とする表示方法。
【請求項１６】
複数の表示パネルを用いて高解像度の画像を表示する請求項１５記載の表示方法であって、前記複数の表示パネルを横断して一つの高解像度の合成画像を表示させるために、前記複数の表示パネルのそれぞれに前記合成画像を割り当てて供給することを特徴とする表示方法。
【請求項１７】
複数の表示パネルを用いて高解像度の画像を表示する請求項１５記載の表示方法であって、前記複数の表示パネルに一以上の独立画像を表示するために、少なくとも一つの前記表示パネルに一つの前記独立画像を供給することを特徴とする表示方法。
【請求項１８】
複数の表示パネルを用いて高解像度の画像を表示する請求項１５記載の表示方法であって、一つの多数チャネルビジュアルコンピュータが、各前記表示パネルに一つの画像を供給することを特徴とする表示方法。
【請求項１９】
複数の表示パネルを用いて高解像度の画像を表示する請求項１５記載の表示方法であって、少なくとも二つの独立した画像供給部から前記複数の表示パネルに画像を供給することを特徴とする表示方法。
【請求項２０】
複数の表示パネルを用いて高解像度の画像を表示する請求項１５記載の表示方法であって、前記ユーザの目のレベルを前記中央の表示パネルの下端から上端までの３／４の位置にすべく、該中央のパネルを含む前記複数の表示パネルを取付けること、を特徴とする表示方法。
【請求項２１】
高解像度の画像を表示するための三パネル映像表示装置を組み立てる方法であって、中央の表示パネルと左側及び右側の両側表示パネルとの間における各角度の範囲を計算し、前記中央の表示パネルとユーザの視点との間の距離を設定された第１の距離と第２の距離との間に設定すると、前記中央の表示パネル、前記左右側の表示パネルが前記ユーザの視点から実質的に等距離となるように前記角度の範囲を選択し、前記中央の表示パネルと前記左右の両側の表示パネルとの間の角度を前記角度の範囲内に保持して前記中央の表示パネルと前記両側の表示パネルとを一つのハウジング内に取付けることを特徴とする組立方法。
【請求項２２】
請求項２１記載の組立方法において、前記中央の表示パネルの可視エリアと前記両側の表示パネルの各可視エリアとの間のマリオンの幅寸法を、前記高解像度の画像の幅寸法の７％に近付くように制限することを含み、前記中央の表示パネルと前記両側の表示パネルを取付けることを特徴とする組立方法。
【請求項２３】
請求項２１記載の組立方法において、前記中央の表示パネルを地面に直交する平面に対し第１の設定角度と第２の設定角度の間の角度で前方へ傾斜させて配置するように支持部上に前記ハウジングを取付けることを特徴とする組立方法。
【請求項２４】
請求項２３記載の組立方法において、前記支持部の高さは、ユーザの目のレベルが、前記中央の表示パネルの下端から上端までの３／４の位置になるように選択されることを特徴とする組立方法。
【請求項２５】
請求項２３記載の組立方法において、前記支持部が折り畳み可能なヒンジ部材を備えることを特徴とする組立方法。
【請求項２６】
通信／制御ポートが、ＵＳＢポートから形成されることを特徴とする請求項１３記載の多パネル映像表示装置。
【請求項２７】
前記通信／制御ポートが、ＲＳ−２３２ポートから形成されることを特徴とする請求項１３記載の多パネル映像表示装置。
【請求項２８】
更に、前記表示パネルに電力を供給するための制御ユニットを備えることを特徴とする請求項１記載の多パネル映像表示装置。
【請求項２９】
更に、前記表示パネルの表示特性を制御するための制御ユニットを備えることを特徴とする請求項１記載の多パネル映像表示装置。
【請求項３０】
請求項２１記載の組立方法であって、
前記設定された第１の距離は約１８インチであり、
前記設定された第２の距離は約２４インチであることを特徴とする組立方法。
【請求項３１】
請求項２３記載の組立方法であって、
前記第１の設定角度は約２度であり、前記第２の設定角度は約５．５度であることを特徴とする組立方法。
【国際調査報告】
2004500587.tif 000046